(57)【要約】【課題】貼付対象物の表面の大きさや形状に対応させて印刷画像を貼付対象物に貼り付けるために、貼付対象物の大きさ等を考慮して印刷画像を調整するユーザの調整作業の負担を軽減させることを課題とする。【解決手段】表示部と、印刷画像を取得する印刷画像取得部と、印刷画像を貼り付ける貼付対象物の表面の画像である対象物画像を取得する貼付対象物画像取得部と、取得された印刷画像と前記対象物画像とを合成する画像合成部と、印刷画像と対象物画像とが合成された画像を前記表示部に表示する合成画像表示部と、表示部に表示された印刷画像と対象物画像との合成画像を編集する画像編集部と、編集後の合成画像を出力する出力部とを備え、画像編集部は、合成画像を利用して、貼付対象物の表面の所定の領域に、取得された前記印刷画像の一部または全部が貼り付けられるように、印刷画像を編集することを特徴とする。【選択図】図２
2019149618.tif 000002
【特許請求の範囲】
【請求項１】
表示部と、
印刷画像を取得する印刷画像取得部と、
前記印刷画像を貼り付ける貼付対象物の表面の画像である対象物画像を取得する貼付対象物画像取得部と、
取得された前記印刷画像と前記対象物画像とを合成する画像合成部と、
前記印刷画像と前記対象物画像とが合成された画像を前記表示部に表示する合成画像表示部と、
前記表示部に表示された前記印刷画像と前記対象物画像との合成画像を編集する画像編集部と、
前記編集後の合成画像を出力する出力部とを備え、
前記画像編集部は、前記合成画像を利用して、前記貼付対象物の表面の所定の領域に、取得された前記印刷画像の一部または全部が貼り付けられるように、前記印刷画像を編集することを特徴とする画像形成装置。
【請求項２】
操作部をさらに備え、
前記画像編集部は、前記操作部を利用して、前記表示部に表示された前記対象物画像を考慮して、前記印刷画像の大きさ、形状、貼付位置を調整することを特徴とする請求項１に記載の画像形成装置。
【請求項３】
取得した前記対象物画像の輪郭を検出する輪郭検出部と、
前記検出された輪郭を確定する対象物輪郭情報を生成する輪郭線生成部とをさらに備え、
前記画像合成部が、取得された前記印刷画像と、前記対象物画像の輪郭を確定する対象物輪郭情報とを合成し、
前記合成画像表示部が、前記印刷画像と前記対象物輪郭情報とが合成された画像を前記表示部に表示することを特徴とする請求項１に記載の画像形成装置。
【請求項４】
前記合成画像表示部が、前記対象物輪郭情報を、前記編集後の合成画像を出力したときに切り取る位置を示した切取線として表示し、
前記画像編集部が、前記表示部に表示された前記印刷画像と前記切取線との合成画像を編集した後、
前記出力部が、前記印刷画像と前記切取線とからなる合成画像を出力することを特徴とする請求項３に記載の画像形成装置。
【請求項５】
前記対象物輪郭情報は、前記対象物画像の外側の輪郭を確定する情報と、
前記貼付対象物の表面の内部における前記印刷画像を貼り付けない非貼付領域の輪郭を確定する情報とを含むことを特徴とする請求項３に記載の画像形成装置。
【請求項６】
前記印刷画像を貼り付けない非貼付領域を、印刷画像を印刷しない印刷除外領域に設定し、
前記出力部は、前記印刷画像と前記対象物画像との合成画像から前記印刷除外領域に属する印刷画像を除去した編集後の合成画像を出力することを特徴とする請求項５に記載の画像形成装置。
【請求項７】
前記出力部が、前記印刷除外領域に属する印刷画像を除去した編集後の合成画像を、透明シートに印刷することを特徴とする請求項６に記載の画像形成装置。
【請求項８】
前記画像編集部によって行う編集処理には、前記表示部に表示された前記印刷画像の一部分の画像を選択するトリミング処理が含まれ、
トリミング処理された印刷画像の一部分の画像の外側に、貼付対象物の表面と同じ色の輪郭着色領域を生成し、
前記出力部が、前記輪郭着色領域を含む前記編集後の合成画像を出力することを特徴とする請求項１に記載の画像形成装置。
【請求項９】
前記貼付対象物画像取得部が、
前記貼付対象物の表面と、予め大きさと色がわかっている定型パターンとを含む読取画像を取得することを特徴とする請求項１に記載の画像形成装置。
【請求項１０】
前記出力部が、所定の印刷用紙に、前記編集後の合成画像を印刷することを特徴とする請求項１から９のいずれかに記載の画像形成装置。
【請求項１１】
前記貼付対象物の所定の表面の画像情報と、前記貼付対象物の表面に貼り付けようとする原稿の画像情報とを読み取る画像入力部をさらに備え、
前記表面の画像情報を対象物画像として取得し、前記原稿の画像情報を印刷画像として取得することを特徴とする請求項１から１０のいずれかに記載の画像形成装置。
【請求項１２】
入力された画像を編集して出力することが可能な画像形成装置の画像処理方法であって、印刷画像を取得し、
前記印刷画像を貼り付ける貼付対象物の表面の画像である対象物画像を取得し、
取得された前記印刷画像と前記対象物画像とを合成し、
前記印刷画像と前記対象物画像とが合成された画像を表示し、
前記表示された印刷画像と対象物画像を利用して、前記貼付対象物の表面の所定の領域に、取得された前記印刷画像の一部または全部が貼り付けられるように、前記印刷画像を編集し、
前記編集後の合成画像を出力することを特徴とする画像形成装置の画像処理方法。
【発明の詳細な説明】
【技術分野】
【０００１】
この発明は、画像形成装置に関し、特に、貼付対象物に貼り付ける画像を取得して編集および印刷する機能を有する画像形成装置に関する。
【背景技術】
【０００２】
従来から、画像形成装置が利用されているが、書類の複製機能に加えて、書類の読取（スキャン）機能や、読み取った画像の大きさや色等を変更して印刷する機能を有する複合機が利用されている。
また、紙媒体だけでなく、透明フィルム等に画像を印刷することができる画像形成装置もあり、たとえば、特許文献１には、透明性を有する媒体に、主画像と白インク等による背景画像とを重ねて印刷する場合に、主画像が印刷される表面と反対側の背景画像の裏面に、背景画像に対する主画像の位置と色に対応させて、裏移り抑制画像も印刷して、主画像の裏移りを目立ち難くした印刷装置が記載されている。
【０００３】
さらに、画像が印刷された媒体のうち、画像が印刷された部分を切り取って所定の対象物の表面に貼る場合は、画像が印刷された部分を貼る対象物の大きさ、形状、色などを考慮して、ユーザが、所定の入力操作をして印刷すべき画像の大きさ等を調整編集した後、編集後の画像を媒体に印刷していた。
【先行技術文献】
【特許文献】
【０００４】
【特許文献１】特開２０１２−７６３７１号公報
【発明の概要】
【発明が解決しようとする課題】
【０００５】
しかし、特許文献１の印刷装置を含め従来の画像形成装置では、印刷すべき画像を所定の対象物に貼るために、印刷すべき画像の大きさ等を調整する場合、事前に、ユーザが、対象物の表面の大きさや形状を測定し、測定された対象物の表面の大きさ等に基づいて、印刷すべき画像を貼り付ける正確な位置を決めて、印刷すべき画像の大きさや位置を調整する作業をする必要があった。
【０００６】
また、印刷すべき画像を貼り付ける対象物の表面に、画像を貼り付けてはいけない部位がある場合、たとえば、操作ボタンやカメラのレンズなどが対象物の表面にある場合には、操作ボタンやレンズの位置に画像がかからないように、印刷すべき画像の大きさや位置を正確に決定して、印刷すべき画像を調整する必要があった。
このような印刷すべき画像の調整作業をした後、印刷すべき画像を媒体に印刷して、印刷すべき画像を媒体から切り取って対象物の表面に貼り付けようとした場合、画像の位置がずれているために、何度も調整作業や印刷をやり直すことが必要な場合もあり、大変な時間と労力を要していた。
【０００７】
また、貼り付ける対象物の現物が手元にない場合は、対象物の大きさ等の確認が容易にはできないため、対象物のだいたいの大きさを推定して、印刷すべき画像を調整する必要があった。また、対象物の現物が手元にないので、調整後の画像を、すぐに対象物に貼り付けて画像の調整に問題がないことを確認することができないという問題があった。
すなわち、印刷すべき画像の調整作業には、多くの時間と手間がかかり、調整作業をするユーザの作業負担が非常に大きかった。
【０００８】
そこで、この発明は、以上のような事情を考慮してなされたものであり、所定の貼付対象物の表面の大きさや形状に対応させて印刷画像を貼付対象物に貼り付けるために、貼付対象物の大きさ等を考慮して印刷画像を調整する場合に、ユーザが行う印刷画像の調整作業の負担を軽減させることができる画像形成装置を提供することを課題とする。
【課題を解決するための手段】
【０００９】
この発明は、表示部と、印刷画像を取得する印刷画像取得部と、前記印刷画像を貼り付ける貼付対象物の表面の画像である対象物画像を取得する貼付対象物画像取得部と、取得された前記印刷画像と前記対象物画像とを合成する画像合成部と、前記印刷画像と前記対象物画像とが合成された画像を前記表示部に表示する合成画像表示部と、前記表示部に表示された前記印刷画像と前記対象物画像との合成画像を編集する画像編集部と、前記編集後の合成画像を出力する出力部とを備え、前記画像編集部は、前記合成画像を利用して、前記貼付対象物の表面の所定の領域に、取得された前記印刷画像の一部または全部が貼り付けられるように、前記印刷画像を編集することを特徴とする画像形成装置を提供するものである。
【００１０】
また、操作部をさらに備え、前記画像編集部は、前記操作部を利用して、前記表示部に表示された前記対象物画像を考慮して、前記印刷画像の大きさ、形状、貼付位置を調整することを特徴とする。
【００１１】
また、取得した前記対象物画像の輪郭を検出する輪郭検出部と、前記検出された輪郭を確定する対象物輪郭情報を生成する輪郭線生成部とをさらに備え、前記画像合成部が、取得された前記印刷画像と、前記対象物画像の輪郭を確定する対象物輪郭情報とを合成し、前記合成画像表示部が、前記印刷画像と前記対象物輪郭情報とが合成された画像を前記表示部に表示することを特徴とする。
【００１２】
また、前記合成画像表示部が、前記対象物輪郭情報を、前記編集後の合成画像を出力したときに切り取る位置を示した切取線として表示し、前記画像編集部が、前記表示部に表示された前記印刷画像と前記切取線との合成画像を編集した後、前記出力部が、前記印刷画像と前記切取線とからなる合成画像を出力することを特徴とする。
【００１３】
また、前記対象物輪郭情報は、前記対象物画像の外側の輪郭を確定する情報と、前記貼付対象物の表面の内部における前記印刷画像を貼り付けない非貼付領域の輪郭を確定する情報とを含むことを特徴とする。
【００１４】
また、前記印刷画像を貼り付けない非貼付領域を、印刷画像を印刷しない印刷除外領域に設定し、前記出力部は、前記印刷画像と前記対象物画像との合成画像から前記印刷除外領域に属する印刷画像を除去した編集後の合成画像を出力することを特徴とする。
また、前記出力部が、前記印刷除外領域に属する印刷画像を除去した編集後の合成画像を、透明シートに印刷することを特徴とする。
【００１５】
また、前記画像編集部によって行う編集処理には、前記表示部に表示された前記印刷画像の一部分の画像を選択するトリミング処理が含まれ、トリミング処理された印刷画像の一部分の画像の外側に、貼付対象物の表面と同じ色の輪郭着色領域を生成し、前記出力部が、前記輪郭着色領域を含む前記編集後の合成画像を出力することを特徴とする。
また、前記貼付対象物画像取得部が、前記貼付対象物の表面と、予め大きさと色がわかっている定型パターンとを含む読取画像を取得することを特徴とする。
【００１６】
また、前記出力部が、所定の印刷用紙に、前記編集後の合成画像を印刷することを特徴とする。
また、前記貼付対象物の所定の表面の画像情報と、前記貼付対象物の表面に貼り付けようとする原稿の画像情報とを読み取る画像入力部をさらに備え、前記表面の画像情報を対象物画像として取得し、前記原稿の画像情報を印刷画像として取得することを特徴とする。
【００１７】
また、この発明は、入力された画像を編集して出力することが可能な画像形成装置の画像処理方法であって、印刷画像を取得し、前記印刷画像を貼り付ける貼付対象物の表面の画像である対象物画像を取得し、取得された前記印刷画像と前記対象物画像とを合成し、前記印刷画像と前記対象物画像とが合成された画像を表示し、前記表示された印刷画像と対象物画像を利用して、前記貼付対象物の表面の所定の領域に、取得された前記印刷画像の一部または全部が貼り付けられるように、前記印刷画像を編集し、前記編集後の合成画像を出力することを特徴とする画像形成装置の画像処理方法を提供するものである。
【発明の効果】
【００１８】
この発明によれば、印刷画像と、印刷画像を貼り付ける貼付対象物の表面の画像である対象物画像とを取得して、これらの印刷画像と対象物画像とが合成された画像を表示部に表示して、表示された印刷画像と対象物画像の合成画像を利用して、貼付対象物の表面の所定の領域に、取得された印刷画像の一部または全部が貼り付けられるように、印刷画像を編集するので、貼付対象物の表面の大きさや形状に対応させて印刷画像を貼付対象物に貼り付けるために、貼付対象物の大きさ等を考慮して印刷画像を調整するユーザの作業負担を軽減させることができる。また、印刷画像を貼る貼付対象物の表面の画像を利用して印刷画像を編集するので、出力した後に印刷画像を再度調整のやり直しをする必要がない。
【図面の簡単な説明】
【００１９】
【図１】この発明の画像形成装置の一実施例の構成ブロック図である。
【図２】この発明において、貼付対象物と印刷画像の読取から合成画像の印刷までの作業の一実施例の説明図である。
【図３】この発明において、透明シートに印刷画像を印刷する場合の画像編集などの一実施例の説明図である。
【図４】この発明において、印刷画像をトリミングした後、輪郭着色領域を含むトリミング画像データを、貼付対象物に貼り付けるまでの一実施例の説明図である。
【図５】この発明において、貼付対象物と、定型パターンとを含む読取画像を取得する一実施例の説明図である。
【図６】この発明の画像形成装置における印刷画像と貼付対象物の読取処理と、印刷画像の編集生成処理の一実施例のフローチャートである。
【図７】貼付対象物画像の中において、貼り付け領域を指定する一実施例の説明図である。
【図８】貼付対象物の貼り付け領域に、編集印刷画像データを貼り付ける実施例の説明図である。
【発明を実施するための形態】
【００２０】
以下、図面を使用して本発明の実施の形態を説明する。なお、以下の実施例の記載によって、この発明が限定されるものではない。
＜画像形成装置の構成＞
図１に、この発明の画像形成装置の一実施例の構成ブロック図を示す。
【００２１】
画像形成装置（以下、ＭＦＰ：Multifunction Peripheral、複合機とも呼ぶ）１は、画像データを処理する装置であり、たとえば、複写機能、印刷機能、原稿読取機能（スキャン機能）、原稿編集機能、ＦＡＸ機能、通信機能などを備えた電子機器である。
この発明では、特に、原稿読取機能と、原稿編集機能とを利用して、印刷画像を貼り付ける貼付対象物の画像（対象物画像）と、印刷画像とを取得した後、対象物画像を利用して印刷画像を調整および編集して、後述するような合成画像を印刷する処理を実行する。
【００２２】
貼付対象物は、所望の画像などを含む印刷画像を貼り付ける物体であり、たとえば、事務用品、文房具、家電製品、スマートホンや携帯電話などの通信端末、ボード、壁、車両、包装資材などが含まれる。
この発明では、貼付対象物の表面の画像データ、特に、印刷画像を貼り付ける表面領域の画像データを、対象物画像として取得する。
【００２３】
印刷画像は、画像形成装置によって出力すべき画像や文字などの情報を意味し、画像形成装置によって出力することが可能な２次元媒体、たとえば、印刷用紙、シール、透明シート、封筒、包装紙、包装資材、フィルムなどの媒体に印刷される情報である。
また、印刷画像は、貼付対象物の表面のうち所定の領域に貼り付けることができるように、調整および編集された後の画像データである。
画像形成装置によって印刷用紙等の２次元媒体に印刷された印刷画像は、ユーザによって、その全部または、一部が切り取られて、貼付対象物の表面の所定の領域に、貼り付けられる。
【００２４】
図１において、この発明の画像形成装置（ＭＦＰ）１は、主として、制御部１１、操作部１２、画像入力部１３、表示部１４、出力部１５、印刷画像取得部１６、貼付対象物画像取得部１７、輪郭検出部１８、輪郭線生成部１９、画像編集部２０、画像合成部２１、合成画像表示部２２、記憶部５０を備える。
【００２５】
制御部１１は、画像入力部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の画像入力機能、画像編集機能などを実行する。
また、上記構成要素のうち、輪郭検出部１８、輪郭線生成部１９、画像編集部２０、画像合成部２１、合成画像表示部２２は、ＣＰＵが、所定のプログラムに基づいて実行する機能ブロックである。
【００２６】
操作部１２は、文字などの情報の入力や、機能の選択入力をする部分であり、たとえば、キーボード、マウス、タッチパネルなどが用いられる。
また、この発明では、後述するように、ユーザが、表示部１４に表示された印刷画像と対象物画像を見ながら、操作部１２を利用して、印刷画像のサイズ変更や位置合わせなどの編集作業を行う。
【００２７】
画像入力部１３は、画像情報を入力する部分であり、たとえば、画像や文字図形等が記載された原稿などの情報を入力する。
この発明では、特に、貼付対象物の所定の表面の画像情報と、貼付対象物の表面に貼り付けようとする原稿の画像情報とを読み取る。
貼付対象物の表面の画像情報は、対象物画像として取得し、原稿の画像情報は、印刷画像として取得する。
入力された情報は、電子データとして、記憶部５０に記憶される。
画像入力部１３としては、情報が印刷された原稿を読み取るスキャナ（読取装置）を用いる。
【００２８】
画像情報を入力する方法は種々の方法があるが、たとえば、印刷画像が記載された原稿をスキャナで読み取り、印刷画像の電子データを、記憶部５０に記憶する。
また、貼付対象物における貼付領域の画像も、スキャナで読み取ればよい。ただし、カメラで撮影した貼付領域の画像データを、入力してもよい。
【００２９】
また、画像などの情報を入力する方法は、以上のものに限るものではなく、たとえば、ＵＳＢメモリなどの外部の記憶媒体を接続するインタフェースが、画像入力部１３に該当する。
入力したい印刷画像や貼付対象物の画像などの電子データファイルを、ＵＳＢメモリなどの外部の記憶媒体に保存しておき、ＵＳＢメモリ等をＵＳＢ端子などの入力インタフェースに接続し、操作部１２で所定の入力操作を行うことによって、ＵＳＢメモリ等に保存された所望の電子データファイルを読み出して、記憶部５０に、電子データとして記憶してもよい。特に、貼付対象物が手元にない場合でも、事前に、貼付対象物の画像を取得してＵＳＢメモリ等に記憶しておくことにより、貼付対象物を考慮した印刷画像の編集が可能となる。
【００３０】
また、インターネットなどのネットワークを介して、印刷画像や貼付対象物の画像を予め記憶したパソコンなどの情報処理装置やサーバに接続して、データ通信によって、印刷画像などを受信してもよい。さらに、通信機能を有するカメラで、印刷画像が記載された用紙や貼付対象物を撮影し、無線通信によってカメラと接続し、撮影された印刷画像や貼付対象物の画像を受信してもよい。
【００３１】
表示部１４は、情報を表示する部分であり、各機能の実行に必要な情報や、機能の実行の結果などを、利用者に知らせるために表示する。たとえば、LCD、有機ELディスプレイなどが用いられ、操作部１２としてタッチパネルが用いられる場合は、表示部とタッチパネルとが重ね合わせて配置される。
【００３２】
この発明では、印刷画像を編集する場合、印刷画像と貼付対象物の画像（対象物画像）とを合成し、両画像の位置合わせ等が行われるが、ユーザが、位置合わせ等の作業をするために、印刷画像と対象物画像が、表示部１４に表示される。
また、後述するように、印刷画像と対象物画像の輪郭線とを合成した画像が表示部１４に表示され、さらに、編集作業が終了した後の画像データ（編集印刷画像データ）が、印刷用紙に印刷される。
【００３３】
出力部１５は、編集後の画像データ（編集印刷画像データ）を出力する部分であり、特に、後述するように、編集後の印刷画像と対象物画像とからなる合成画像を出力する。
出力部１５は、たとえば、プリンタに相当し、所定の印刷用紙（紙媒体）に、編集後の印刷画像と対象物画像とからなる合成画像を、印刷して出力する。
ただし、画像データの出力は、印刷に限るものではなく、ＵＳＢメモリなどの外部の記憶媒体への画像データの記憶や、インターネットなどのネットワークを介して他の情報処理装置やサーバへの画像データの送信でもよい。
【００３４】
印刷画像取得部１６は、主として印刷することを目的とした画像データを取得する部分であり、特に、画像入力部１３によって入力された貼付対象物に貼り付けたい印刷画像を取得する部分である。取得した印刷画像は、記憶部５０に記憶される。
【００３５】
貼付対象物画像取得部１７は、印刷画像を貼り付ける対象である物体（貼付対象物）の表面の画像（対象物画像）を取得する部分である。特に、画像入力部１３によって、貼付対象物の表面のうち、印刷画像を貼り付ける表面の画像を入力し、対象物画像として取得し、記憶部５０に記憶する。印刷画像の編集作業をするために、対象物画像としては、印刷画像を貼り付ける表面を正面方向から読み取った画像を、取得することが好ましい。
また、後述するように、貼付対象物画像取得部１７は、貼付対象物の表面と、予め大きさと色がわかっている定型パターンとを含む読取画像を取得するようにしてもよい。
【００３６】
輪郭検出部１８は、取得した対象物画像の輪郭を検出する部分である。
検出する輪郭は、対象物画像の外側の輪郭だけでなく、貼付対象物の表面内部に存在する一様な平坦領域の輪郭や、表面内部に存在する立体的な突起であっても外周が閉じられた領域の輪郭なども含む。たとえば、貼付対象物が携帯電話の場合、表面内部に存在する操作ボタンや、カメラがある位置の透明な開口の輪郭も検出する。
表面内部の輪郭で囲まれた領域は、後述するように、印刷画像を貼り付けない非貼付領域となる部分であり、あるいは、印刷画像を印刷しない印刷除外領域となる部分である。
【００３７】
輪郭線生成部１９は、検出された輪郭を確定する情報（対象物輪郭情報）を生成する部分である。
たとえば、印刷画像を貼り付ける対象物画像の表面の外側の輪郭を示す輪郭線を生成する。
あるいは、貼付対象物の表面内部に存在するカメラ等がある位置の透明な開口を示す輪郭線を生成する。
生成された輪郭線は、対象物輪郭情報として、記憶部５０に記憶される。
【００３８】
また、印刷画像を貼付対象物の表面全体に貼り付ける場合は、対象物画像の外側の輪郭を示す輪郭線は、印刷用紙に印刷された場合、切取線となる。すなわち、ユーザは、印刷用紙に印刷された輪郭線（切取線）に沿って、印刷画像を切り取る。
さらに、貼付対象物の表面内部の輪郭線も、印刷用紙に印刷された場合、切取線となる。
この場合、表面内部の輪郭線（切取線）に沿って切り取ることによって、たとえば、表面内部に存在するカメラがある位置の開口の内部の画像が切り抜かれる。
【００３９】
あるいは、印刷画像を透明シートに印刷する場合は、貼付対象物の表面内部の輪郭線で囲まれた領域の内部に属する印刷画像は、印刷しないようにしてもよい。
すなわち、印刷画像を貼り付けない非貼付領域を、印刷画像を印刷しない印刷除外領域に設定し、出力部１５が、印刷画像と対象物画像との合成画像から印刷除外領域に属する印刷画像を除去した編集後の合成画像を、透明シートに出力（印刷）してもよい。
【００４０】
画像編集部２０は、表示部１４に表示された印刷画像と対象物画像との合成画像を編集する部分である。
特に、印刷画像と対象物画像との合成画像を利用して、貼付対象物の表面の所定の領域に、取得された印刷画像の一部または全部が貼り付けられるように、印刷画像を編集および調整する。
たとえば、取得した対象物画像から、貼付対象物の表面の大きさ、形状、色を認識し、操作部１２を利用して、表示部１４に表示された対象物画像を考慮して、貼付対象物の表面に貼り付ける印刷画像の大きさ、形状、貼付位置等を設定、調整する。
【００４１】
また、取得した印刷画像に対して、所定の画像処理を実施してもよく、たとえば、印刷画像の一部分を切り取るトリミング、拡大、縮小、回転、色変換、コントラストの調整、色の三要素（色相、明度、彩度）の調整などの編集作業をしてもよい。
ユーザによる印刷画像の編集作業は、操作部１２を利用して行い、タッチパネルを使用する場合は、タッチパネルに対する所定の接触操作で行えばよい。
【００４２】
また、画像編集部２０によって行う編集処理には、表示部１４に表示された印刷画像の一部分の画像を選択するトリミング処理が含まれるが、トリミング処理を行った場合、トリミング処理された印刷画像の一部分の画像の外側に、貼付対象物の表面と同じ色の輪郭着色領域を生成し、出力部１５が、輪郭着色領域を含む編集後の合成画像を出力するようにしてもよい。
【００４３】
印刷画像の大きさの調整は、印刷画像と対象物画像とが重なり合うように、表示部１４に合成表示して行えばよい。
また、後述するように、予め大きさや色が分かっている画像（定型パターン）が記載されている用紙と貼付対象物とを並べて、同時に読み取ることにより、取得した定型パターンの大きさと色から、貼付対象物の表面の大きさと色は、相対的に認識することができる。
相対的に認識された貼付対象物の表面の大きさと色とから、合成表示した印刷画像の大きさ等の比較が容易に可能となる。
【００４４】
画像合成部２１は、取得された印刷画像と対象物画像とを、合成する部分である。
合成された画像は、表示部１４の同じ画面に、重ねて表示される。
合成する貼付対象物の画像は、取得した対象物画像でもよいが、編集作業がしやすいようにするために、対象物画像から生成した輪郭線（対象物輪郭情報）の画像でもよい。
合成された画像は、表示画面データとして、記憶部５０に記憶される。
また、取得した印刷画像と対象物画像とを単に合成した時点では、両画像の相対的な大きさが異なる場合があるが、印刷画像あるいは対象物画像に対して、移動、拡大、縮小などの操作をすることによって、相対的な大きさと位置が調整された合成画像が生成される。
【００４５】
合成画像表示部２２は、取得された印刷画像と対象物画像とが合成された画像を、表示部１４に表示する部分である。
上記したように、画像合成部２１が、取得された印刷画像と、対象物画像の輪郭を確定する対象物輪郭情報とを合成した場合は、合成画像表示部２２は、印刷画像と対象物輪郭情報とが合成された画像を、表示部に表示する。
ユーザは、表示部１４に表示された合成画像を見ながら、操作部１２を利用して、印刷画像の編集作業を行えばよい。
【００４６】
また、合成画像表示部２２が、対象物輪郭情報を、編集後の合成画像を出力したときに切り取る位置を示した切取線として表示した場合は、画像編集部２０によって、表示部１４に表示された印刷画像と切取線との合成画像を編集した後、出力部１５によって、印刷画像と切取線とからなる合成画像を出力すればよい。
【００４７】
編集作業が終了し表示部１４に表示された合成画像を印刷してもよい場合は、ユーザは、所定の印刷実行操作をすればよい。印刷実行操作によって、表示された合成画像に相当する現在の表示画像データから、編集印刷画像データが生成され、編集後の合成画像が所定の印刷用紙に印刷され、印刷用紙が出力される。
また、ユーザは、出力された印刷用紙に印刷されている印刷画像を切り取り、貼付対象物の所定の位置に貼り付ければよい。
【００４８】
記憶部５０は、この発明の画像処理装置の各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部５０には、たとえば、印刷画像５１、対象物画像５２、対象物輪郭情報５３、表示画像データ５４、編集印刷画像データ５５、定型パターン画像データ５６などが記憶される。
【００４９】
印刷画像５１は、貼付対象物の表面に貼り付ける画像データであり、画像入力部１３を利用して、印刷画像取得部１６により取得される。
【００５０】
対象物画像５２は、貼付対象物の表面のうち、印刷画像を貼り付ける表面の画像データであり、画像入力部１３を利用して、貼付対象物画像取得部１７により取得される。
【００５１】
対象物輪郭情報５３は、対象物画像の外側の輪郭を確定する情報と、貼付対象物の表面の内部における前記印刷画像を貼り付けない非貼付領域の輪郭を確定する情報とを含み、対象物画像５２から生成された輪郭線である。
上記したように、輪郭線には、貼付対象物の表面の外側の輪郭線と、表面内部の一様な平坦領域などの輪郭を示す線とがある。
また、対象物画像の外側の輪郭で囲まれた領域内に、所定の模様パターンを付与した情報を、対象物輪郭情報５３としてもよい。
【００５２】
表示画像データ５４は、表示部１４に表示される合成画像であり、編集作業によって変化する。合成画像は、印刷画像５１と、対象物画像５２とを合成した画像である。あるいは、印刷画像５１と、対象物画像５２から生成された対象物輪郭情報５３とを合成した画像である。
【００５３】
編集印刷画像データ５５は、編集終了後の表示画像データ５４から生成された合成画像であり、印刷できる形式に変換された画像データである。
たとえば、印刷画像５１と、対象物画像５２から生成された輪郭線とが重ね合わせられた合成画像データである。
【００５４】
定型パターン画像データ５６は、少なくとも、予め大きさと色が分かっている画像である定型パターンの画像データである。この定型パターンに関する情報（パターンの内容、大きさ、色情報など）を、予め記憶部５０に記憶しておく。
定型パターンの記載用紙と貼付対象物とを並べて同時に読み取り、定型パターンと貼付対象物とを含む読取画像を取得することによって、定型パターンの画像データは、貼付対象物の画像と同時に取得される。
【００５５】
取得された定型パターンを含む貼付対象物の画像を分析し、定型パターンの部分の画像を切り出し、さらに、貼付対象物の画像も切り出し、それぞれの画像データを取得する。
その後、切り出した定型パターンに関する情報を利用して、定型パターンと同時に取得された貼付対象物の画像の相対的な大きさと色を認識することができる。
【００５６】
＜印刷画像の生成処理の実施形態＞
（実施形態１）
図２に、この発明において、貼付対象物と印刷画像の読取から合成画像の印刷までの作業の一実施例の説明図を示す。
図２（a1）から図２（a3）には、印刷画像の貼付対象物への貼り付け作業の概略説明図を示す。
図２（a1）は、貼付対象物７１の一実施例であり、携帯端末の表面のうち、印刷画像を貼り付ける表面を示している。
図２（a2）は、印刷画像５１の一実施例であり、大きさ等が調整および編集された印刷画像５１が印刷用紙に印刷され、印刷用紙から切り取られた印刷画像であるものとする。
図２（a3）は、印刷画像５１を、貼付対象物７１の表面に貼り付けた状態を示している。
この発明では、図２（a2）に示したような貼り付ける印刷画像５１は、実際に取得した貼付対象物７１の表面の形態（大きさ、形状、色など）を利用して調整した画像データである。
【００５７】
図２（b1）から図２（b4）には、貼付対象物の画像データの取得から、対象物輪郭情報５３（切取線）の生成までの概略説明図を示す。
図２（b1）は、図２（a1）と同様に、貼付対象物である携帯端末の表面のうち、印刷画像を貼り付ける表面を示している。
図２（b2）は、画像入力部１３によって貼付対象物の表面を読み取った後、貼付対象物画像取得部１７によって取得された対象物画像５２を示している。
【００５８】
図２（b3）は、取得された対象物画像５２を解析し、輪郭検出部１８によって検出された輪郭情報を示している。
図２（b4）は、検出された輪郭情報から、輪郭線生成部１９によって生成された対象物輪郭情報５３に相当する対象物画像の輪郭線（切取線）を示している。
図２（b4）において、対象物画像の表面の外側の輪郭を示す切取線は、後述する印刷用紙に印刷された合成画像を切り取るときの線分に相当する。また、図２（b4）では、
対象物画像の表面の内部に、３つの切取線で囲まれた領域があるが、この３つの切取線で囲まれた領域に対応する貼付対象物の位置には、たとえばカメラや操作ボタンなどが存在するので、これらの切取線で囲まれた領域は、非貼付領域とする必要がある。
【００５９】
すなわち、３つの切取線で囲まれた領域の内部にある印刷画像をそのままで印刷用紙に印刷し、貼付対象物に貼り付けてしまうと、カメラや操作ボタンが隠され、撮影や操作ができなくなるので、切取線で囲まれた領域の内部の画像を切り抜く必要がある。
したがって、以下に示すように、ユーザが切り取る位置を容易に確認できるようにするために、表面の外側の輪郭を示す切取線と、表面の内部にある３つの切取線を、印刷画像と合成して印刷する。
【００６０】
図２（b2）から図２（b4）まで、対象物画像の輪郭線（切取線）の生成までの処理は、たとえば、ユーザが、携帯端末をスキャナの読取面に載置して所定の読み取り操作を行った後、輪郭線生成の要求入力操作を行うことにより、実行される。
【００６１】
図２（c1）から図２（c4）には、印刷画像５１と対象物輪郭情報５３を利用して、画像合成表示と、合成画像の編集と、合成画像の印刷処理を行う概略説明図を示す。
図２（c1）は、画像入力部１３によって印刷画像が記載された用紙を読み取った後、印刷画像取得部１６によって取得された印刷画像５１を示している。
【００６２】
図２（c2）は、２つの画像を合成した表示画面データ５４を示している。ここでは、取得された印刷画像５１と、生成された対象物輪郭情報５３に相当する切取線の画像を合成した画像データの一実施例を示している。この表示画面データ５４は、表示部１４に表示される。ユーザは、表示部１４に表示された合成画像を見ながら、合成画像の編集作業を行う。
たとえば、印刷画像５１と切取線の画像との相対的な位置合わせや、切取線の画像の大きさの調整（移動、拡大、縮小、回転など）を行う。
【００６３】
図２（c3）は、合成画像の編集作業が終了した後の表示画面データに相当する編集印刷画像データ５５を示している。
図２（c4）は、編集印刷画像データ５５を印刷した後の印刷用紙８０を示している。
図２（c1）から図２（c4）まで、合成画像の印刷までの処理は、たとえば、ユーザが、印刷画像を記載した用紙をスキャナの読取面に載置して所定の読み取り操作を行った後、取得しておいた貼付対象物と読み取った印刷画像とを合成した画像の表示を要求する入力操作をして、表示された合成画像に対して所定の編集作業をし、編集後の合成画像を印刷することを要求する入力操作を行うことにより、実行される。
【００６４】
図２（c4）に示す印刷用紙８０に印刷された合成画像の場合は、ユーザは、貼付対象物の表面の外側を示す切取線に沿って、印刷画像を切り取り、さらに、貼付対象物の表面の内部にある３つの切取線に沿って、切取線の内部の画像を切り抜き、貼り付ける位置を適切に位置合わせして、切り取った印刷画像を、貼付対象物の表面全体に貼り付ける。
【００６５】
図２（c3）に示すように、印刷画像を編集して編集印刷画像データ５５を生成するために、ユーザは、貼付対象物の正確な大きさや形状などの形態を事前に把握する必要はなく、表示された合成画像を見ながら編集および調整作業をすればよいので、作業の容易化と、作業時間を短縮することができ、印刷画像の編集調整作業にかかるユーザの負担を軽減することができる。
【００６６】
（実施形態２）
図３に、この発明において、透明シートに印刷画像を印刷する場合の画像編集などの一実施例の説明図を示す。
ここでは、印刷画像を印刷し出力される用紙が透明な２次元媒体（透明シートと呼ぶ）である場合について説明する。
実施形態１と同様に、透明シートには、印刷画像５１と対象物輪郭情報（切取線）５３の合成画像を印刷する。
【００６７】
ただし、実施形態１では、貼付対象物の表面の内部にある切取線で囲まれた領域が、非貼付領域であることがわかるように、表面の内部にある切取線を印刷したが、実施形態２では、この表面の内部にある切取線を印刷せずに、切取線で囲まれた領域を、印刷除外領域とする。
すなわち、印刷画像との合成画像を編集する場合、貼付対象物の表面の外側の輪郭を示す切取線は印刷するが、表面の内部にある切取線は印刷しない。また、表面の内部にある切取線で囲まれた領域（印刷除外領域）の内部の印刷画像を、印刷しないようにする。
【００６８】
実施形態２では、合成画像を印刷する媒体が透明シートなので、画像を印刷しない印刷除外領域は、その下の貼付対象物の部分が透けて見える状態となり、たとえば、印刷除外領域にあるカメラによる撮影や、操作ボタンの操作が可能となる。
【００６９】
図３（a1）と図３（a2）には、透明シートを使用する場合の対象物輪郭情報５３の生成についての概略説明図を示す。
図３（a1）は、検出された輪郭情報から生成された対象物輪郭情報５３に相当する対象物画像の輪郭線（切取線）を示しているが、これは、図２（b4）と同じものである。
図３（a2）は、この実施形態２における透明シートを使用する場合の対象物輪郭情報５３を示している。ここで、貼付対象物の表面の内部にある切取線で囲まれた領域（非貼付領域）を示す切取線を削除し、対象物輪郭情報５３は、貼付対象物の表面の外側の輪郭を示す切取線のみとなる。すなわち、貼付対象物の表面の外側の輪郭を示す切取線は、印刷画像との合成画像に含まれるが、非貼付領域を示す切取線は、合成画像に含まれない。
【００７０】
透明シートを使用した印刷を行う場合、たとえば、ユーザが、操作部１２を利用して、透明シートを使用することを示す入力操作をしたとする。
この場合、貼付対象物の表面を読み取る操作をした後、取得した貼付対象物の画像（対象物画像）から輪郭を検出し、対象物画像の内部に、非貼付領域があることが検出された場合、非貼付領域を示す切取線を削除する。
【００７１】
図３（b1）から図３（b4）には、印刷画像５１と対象物輪郭情報５３を利用して、画像合成表示と、合成画像の編集と、合成画像の印刷処理を行う概略説明図を示す。
図３（b1）は、画像入力部１３によって印刷画像が記載された用紙を読み取った後、印刷画像取得部１６によって取得された印刷画像５１を示している。これは、図２（c1）と同じ図である。
【００７２】
この後、印刷画像５１と図３（a2）の対象物輪郭情報（切取線）５３とを合成した画像を表示して、たとえば、印刷画像５１と切取線の画像との相対的な位置合わせや、切取線の画像の大きさの調整（移動、拡大、縮小、回転など）を行う。
図３（b2）は、合成画像の調整が終了した後の表示画面データに相当する編集印刷画像データ５５を示している。これは、図２（c3）と同じ図である。
ただし、説明のために、対象物輪郭情報（切取線）５３として、非貼付領域も示している。
この後、透明シートに印刷を行うので、合成画像の非貼付領域に対応する位置の画像データを変更する。
【００７３】
図３（b3）は、非貼付領域に対応する位置に、印刷除外領域６２を生成した場合の合成画像（編集印刷画像データ５５）を示している。
印刷除外領域６２では、非貼付領域の内部に表示されていた印刷画像を削除する。
すなわち、図３（b3）では、印刷除外領域６２を白抜きで示しているが、印刷画像５１を印刷する場合、印刷除外領域６２には、画像を印刷しないようにする。
また、図３（b3）では、図３（a2）に示した対象物輪郭情報５３に相当する切取線６１を示している。この切取線６１は、印刷される。
【００７４】
図３（b4）は、編集印刷画像データ５５を印刷した後の印刷用紙８１を示している。
ここでは、印刷用紙８１は、透明シートである。
透明シートなので、印刷除外領域６２の部分は、画像が印刷されておらず、透けて見える。
【００７５】
図３（b1）から図３（b4）まで、合成画像の印刷までの処理は、たとえば、ユーザが、
印刷用紙として透明シートを使用することを示す入力操作をし、さらに、透明シートが収容されている給紙カセットや手差しトレイを選択する操作をし、印刷画像を記載した用紙をスキャナの読取面に載置して所定の読み取り操作を行った後、取得しておいた貼付対象物と読み取った印刷画像とを合成した画像の表示を要求する入力操作をして、表示された合成画像に対して所定の編集作業をし、編集後の合成画像を印刷することを要求する入力操作を行うことにより、実行される。
透明シートを使用することを示す入力をしているので、対象物画像に印刷除外領域６２がある場合は、自動的に、印刷除外領域６２の内部の画像が削除されて印刷される。
【００７６】
図３（b4）に示す透明シート８１に印刷された合成画像の場合は、ユーザは、貼付対象物の表面の外側を示す切取線に沿って、印刷画像を切り取り、貼り付ける位置を適切に位置合わせして、切り取った印刷画像を、貼付対象物の表面全体に貼り付ければよい。
貼付対象物の表面の内部にある印刷除外領域６２には画像が印刷されていないので、切り抜く必要はない。透明シート８１なので、印刷除外領域６２にあるカメラ等は透けて見ることができ、撮影などは問題なく行うことができる。
【００７７】
実施形態２においては、印刷用紙に透明シートを使用することを入力する必要があるが、
印刷画像に加えて貼付対象物の表面の画像を読み取るので、印刷画像を編集して編集印刷画像データ５５を生成するために、ユーザは、貼付対象物の正確な大きさや形状などの形態を事前に把握する必要はなく、また、表示された合成画像を見ながら編集および調整作業をすればよいので、作業の容易化と、作業時間を短縮することができ、印刷画像の編集調整作業にかかるユーザの負担を軽減することができる。
【００７８】
（実施形態３）
図４に、この発明において、印刷画像をトリミングした後、輪郭着色領域を含むトリミング画像データを、貼付対象物に貼り付けるまでの一実施例の説明図を示す。
ここでは、合成画像を編集しているときの表示画像データ５４において、貼付対象物の所定の位置に貼り付けたい画像部分を選択して切り出すトリミングをする場合について説明する。
【００７９】
図４（a1）に、編集中に表示部１４に表示されている表示画像データ５４の例を示す。
ユーザが、この表示画像データ５４を見て、取得された印刷画像の中にある特定の部分画像を抜き出して、貼付対象物の表面の特定の位置に貼り付けたいと考えたとする。
たとえば、表示画像データ５４において、人物の顔と上半身の一部分だけを抜き出して貼り付けたいと考えたとする。
この場合、合成画像の編集処理において、ユーザは、切取線を印刷しないように設定し、操作部１２によって、表示された印刷画像の中にある所望の部分画像を抜き出すトリミング操作をする。
【００８０】
図４（a2）に、トリミング操作をした後のトリミング画像データ６３を示す。
トリミング画像データ６３は、トリミング操作によって抜き出された所望の部分画像を含む領域の画像である。
トリミング操作によって、トリミング画像データ６３のみが表示され、取得された印刷画像のうち、トリミング画像データを除く部分の画像は削除される。
【００８１】
図４には図示していないが、次に、ユーザが、トリミング画像データを印刷する操作をすることにより、トリミング画像データ６３を、印刷用紙に印刷してもよい。
これにより、ユーザは、印刷用紙に印刷されたトリミング画像データ６３の部分を切り取り、貼付対象物の所望の位置に、貼り付ければよい。
【００８２】
ただし、一般的に、印刷用紙に印刷されたトリミング画像データ６３のすぐ外側は、印刷用紙の色（たとえば白色）のままであるので、トリミング画像データ６３の外側周辺を含めて大きめに切り取った場合は、トリミング画像データ６３の外側周辺に印刷用紙の色の枠がある画像が、貼付対象物に貼り付けられることになり、見栄えが悪い場合がある。
そこで、貼り付けた後の見栄えをよくするためには、印刷用紙に印刷されたトリミング画像データ６３を、小さめに切り取ることが好ましい。
【００８３】
あるいは、トリミング画像データ６３を貼付対象物に貼り付けた後の輪郭が、貼付対象物の表面と同化し、貼り付けた後の見栄えをよくするために、図４（a3）に示すように、トリミング画像データ６３の外側に、貼付対象物の表面と同じ色の輪郭着色領域６４を生成してもよい。
貼付対象物の表面を読み取るときに、カラー画像として読み取ることにより、取得した対象物画像から、貼付対象物の表面の色を認識することができる。
【００８４】
図４（a3）に、トリミング画像データ６３の外側周囲に、貼付対象物の表面と同じ色の輪郭着色領域６４を生成した後のトリミング画像データを示す。
輪郭着色領域６４の大きさは、貼付対象物の表面の大きさを考慮して決めればよいが、たとえば、トリミング画像データの外側であって数ミリメートル程度の幅の外枠領域に、輪郭着色領域６４を設ければよい。
トリミング画像データ６３を貼り付ける貼付対象物の表面が単色である場合は、輪郭着色領域６４を、表面と同じ色で塗りつぶすものとする。
【００８５】
あるいは、貼付対象物の表面が、模様や異なる色彩がある表面である場合は、その模様や異なる色彩を利用して、輪郭着色領域６４を生成すれよい。これにより、輪郭着色領域６４は貼付対象物の表面と同化しやすいので、貼付後の見栄えもよくなり好ましい。
また、トリミング画像データ６３の輪郭と、輪郭着色領域６４との境界を目立たなくするために、輪郭着色領域６４の色を、内側から外側に向かって、トリミング画像データ６３の色に近い色から、貼付対象物の表面の色に徐々に変化するようにしてもよい。
また、トリミング画像データ６３の領域を明確にするために、輪郭着色領域６４の色を、貼付対象物の表面の色と異なる色にしてもよく、輪郭着色領域６４に、装飾パターンを形成してもよい。
【００８６】
図４（b1）に、図４（a3）に示した輪郭着色領域６４を含むトリミング画像データ６３を印刷した印刷用紙８０を示す。
印刷用紙８０が出力されると、ユーザは、輪郭着色領域６４の一部を含めてトリミング画像データ６３を切り取ればよい。
図４（b2）に、切り取ったトリミング画像６５を示す。
トリミング画像データ６３の周囲に、貼付対象物の表面の色と同じ色の輪郭着色領域６４があるので、正確にトリミング画像データ６３を切り出す必要がなく、切り取り作業の容易化と、切り取りにかかる時間を短縮できる。
【００８７】
図４（b3）に、切り取ったトリミング画像６５を、貼付対象物７１に貼り付けた状態を示す。
輪郭着色領域６４と、貼付対象物の表面の色とが同じ色であるので、貼り付けた用紙の輪郭が目立ちにくく、貼り付けた後の見栄えもよい。
【００８８】
（実施形態４）
図５に、この発明において、貼付対象物と、定型パターンとを含む読取画像を取得する一実施例の説明図を示す。
上記の実施形態では、貼付対象物画像取得部１７が、貼付対象物の表面の画像を単独で取得していたが、ここでは、貼付対象物の表面と、予め大きさや色が分かっている定型パターンとを含む読取画像を取得する場合について説明する。
この読取画像を利用することにより、印刷画像と対象物画像を合成した画像を表示するときに、両画像の大きさの比較や、位置合わせや、色の調整等の編集作業が容易になる。
【００８９】
図５（a1）では、貼付対象物７１と、定型パターン７２が記載された用紙（定型パターン記載用紙８２）とを並べて、同時に読み取ることを示している。
読み取った画像は、読取画像７３として取得し記憶する。
読取処理は、スキャナなどの画像入力部１３を用いて行えばよいが、カメラを利用して、貼付対象物７１と、定型パターン記載用紙８２とを含む画像を撮影してもよい。
【００９０】
図５（a2）には、貼付対象物７１と定型パターン７２とを含む読取画像７３を示している。
読取画像７３の中の貼付対象物７１に相当する対象物画像の部分を認識し、対象物画像から輪郭を検出し、対象物画像の部分を、切取線で表示してもよい。
印刷画像５１との合成画像を表示する場合、印刷画像５１と、図５（a2）に示した読取画像７３を合成した画像を表示してもよい。
あるいは、取得した読取画像７３の中の定型パターン７２を認識し、定型パターン７２の大きさから、隣の貼付対象物７１のおおよその大きさが計算できるので、取得した印刷画像５１の大きさも分かっている場合は、印刷画像５１と貼付対象物７１の大きさを調整した合成画像を表示するようにしてもよい。
合成画像を表示するとき、最初から同じスケールで調整した印刷画像５１と対象物画像５２とを表示することにより、容易に、位置合わせ等の編集作業をすることができる。
【００９１】
（実施形態５）
上記の実施形態では、印刷画像と貼付対象物の表面の対象物画像とを合成した画像から編集した編集印刷画像データを生成し、この編集印刷画像データを印刷用紙に出力するものを示した。編集印刷画像データを印刷用紙に出力することに限るものではなく、編集印刷画像データを、他の記憶媒体に記憶したり、他の情報処理装置に転送したりしてもよい。
たとえば、図２（c3）に示した編集印刷画像データ５５や、図４（a3）に示した輪郭着色領域を含むトリミング画像データ６３を、ＵＳＢメモリに記憶してもよい。
あるいは、編集印刷画像データ５５やトリミング画像データ６３を、ネットワークを介して、情報の記憶管理をするサーバや、画像編集をしたユーザが所有するパソコンに送信してもよい。
【００９２】
（実施形態６）
ユーザによる合成画像の編集および調整処理としては、上記したように、印刷画像と対象物画像との位置合わせ、大きさの変更、コントラストの変更、色変換、色の３要素の調整などがあるが、これに限るものではない。
たとえば、印刷画像の形状の変更、回転、変形、複数の印刷画像の合成、文字や記号の追加、装飾の追加、フィルタ処理、テクスチャ合成、階調変換（ポスタリゼーション）などの処理をしてもよい。
また、印刷画像を貼り付ける詳細な位置の指定、切取線の位置の変更、直線に限らず曲線を含めた種々の形状の切取線の追加、装飾枠の追加などの編集処理をしてもよい。
【００９３】
（実施形態７）
上記の実施形態では、合成画像を表示して行う編集作業を、画像形成装置で行うものを示したが、これに限るものではない。
たとえば、画像形成装置において、印刷画像と、貼付対象物の対象物画像を取得して記憶した後、印刷画像と対象物画像を、ＵＳＢメモリなどの記憶媒体に記憶しておき、ユーザのパソコンに、ＵＳＢメモリに記憶された印刷画像と対象物画像を取り込んで、合成画像を表示させて、パソコンにおいて編集作業をした後、編集後の編集印刷画像データを、画像形成装置に転送して、印刷してもよい。
【００９４】
また、画像形成装置で取得した印刷画像と対象物画像を、ネットワークを介して、ユーザのパソコンやサーバなどに送信し、ユーザのパソコンや他の情報処理装置において、合成画像を表示させて、編集作業をしてもよい。
この場合、印刷画像と貼付対象物の対象物画像を取得する画像形成装置と、パソコンにおいて編集作業をした後の編集印刷画像データを印刷する画像形成装置が、異なるものであってもよい。
【００９５】
（実施形態８）
上記した実施形態では、貼付対象物の輪郭を示す対象物輪郭情報５３を、切取線で表示するものを示したが、これに限るものではない。
たとえば、貼付対象物の対象物画像の外側の輪郭や、対象物画像の内部にある非貼付領域の輪郭が目立つように、合成された印刷画像では使用されていない色を用いた実線や破線の輪郭線で、輪郭を表示してもよい。
【００９６】
また、印刷画像の編集時において、対象物画像の外側の輪郭で囲まれた内部領域を、印刷画像では使用されていない色により着色してもよく、あるいは、その内部領域に区別可能な模様パターンを形成してもよい。
さらに、印刷画像の編集時において、対象物画像の内部にある複数の非貼付領域の輪郭がそれぞれ区別して認識できるように、非貼付領域ごとに輪郭の色や内部の模様パターンを異ならせてもよく、あるいは、非貼付領域をそれぞれ点滅させて表示してもよい。
【００９７】
（実施形態９）
また、印刷画像の切り取り領域を明確に示すために、切取線で囲まれた内部の領域を、オーバーコートする表面加工処理をしてもよい。
オーバーコートは、たとえば、画像形成した後、保護用の透明インクを転写する際に、切取線で囲まれた内部の領域とそれ以外の領域とで、あるいは、切取線上とそれ以外の領域とで、エネルギー量を変えたり、エネルギーのかけ方を変えるなどの処理を行えばよい。また、透明フィルムを張り付ける方法であれば、切取線で囲まれた内部の領域とそれ以外の領域とで、あるいは、切取線上とそれ以外の領域とで、透明フィルムの貼り付けに係るエネルギー量を変えたり、エネルギーのかけ方を変えるなどの処理を行えばよい。
あるいは、貼付対象物に貼り付ける印刷画像の全体を保護するために、印刷画像の全体をオーバーコートしてもよい。
【００９８】
（実施形態１０）
上記した実施形態では、取得された対象物画像を解析し、輪郭検出部によって検出された輪郭情報を用いるものを示したが、これに限るものではない。
たとえば、貼付対象物のうち、輪郭が検出できない領域であっても、印刷画像を貼り付けたい領域（貼り付け領域）を、ユーザが直接指定してもよい。
また、貼付対象物画像中のユーザーが指定した領域を切り抜き、印刷画像データを重ね合わせれば、貼付対象物への貼付の際に位置合わせが容易になるし、貼付対象物に合わせて作られた貼付画像であることが明示できる。
【００９９】
図７に、貼付対象物画像の中において、貼り付け領域を指定する一実施例の説明図を示す。
図７（a）は、貼付対象物の表面の対象物画像の一実施例を示している。
ここでは、貼付対象物は、商品パッケージである。
ユーザが、この商品パッケージの画像の中で、「開封後は、お召し上がりください」という文章が印刷された領域を、「開封後は、お早めにお召し上がりください」に訂正したいと考えたとする。
この場合、「開封後は、お召し上がりください」という文章が印刷された領域に、異なる印刷画像を貼り付けるために、ユーザは、貼り付け領域を、手動で指定する。
たとえば、図７（b）に示すように、ユーザが、操作部１２を用いて、「開封後は、お召し上がりください」という文章が印刷された領域を囲むように、貼り付け領域を指定する。
【０１００】
（実施形態１１）
上記の実施形態では、印刷画像と貼付対象物の表面の対象物画像とを合成した画像から編集した編集印刷画像データを生成し、この１つの編集印刷画像データを印刷用紙に出力するものを示したが、単に１つの編集印刷画像データを１枚の印刷用紙に出力することに限るものではなく、１つの編集印刷画像データを複数のデータに複写して、１枚の印刷用紙に割り付けて印刷してもよい。
【０１０１】
図８に、貼付対象物の貼り付け領域に、編集印刷画像データを貼り付ける一実施例の説明図を示す。
図８（a）に、印刷画像データの実施例を示す。
ここでは、印刷画像データは、「開封後は、お早めにお召し上がりください」という文章であり、上記実施形態で、ユーザが訂正したいと考えた訂正後の文章である。
図８（b）に、印刷画像データを複写した４つの編集印刷画像データを印刷した印刷用紙を示す。
ここでは、図８（a）に示した「開封後は、お早めにお召し上がりください」という文章を、４つ複写して、１枚の印刷用紙に割り付けて印刷したものを示している。
また、１つの編集印刷画像データは、印刷画像データと、図７（b）に示した貼付対象物の表面の貼り付け領域に含まれる画像とを合成した画像を示している。
【０１０２】
図８（c）は、ユーザが、図８（b）の印刷用紙から、１つの編集印刷画像データを切り取り、その編集印刷画像データを、図７（b）に示した貼付対象物の貼り付け領域に、貼り付けた状態を示している。
【０１０３】
＜この発明の印刷画像の編集生成処理のフロー＞
図６に、この発明の画像形成装置における印刷画像と貼付対象物の読取処理と、印刷画像の編集生成処理の一実施例のフローチャートを示す。
ここでは、主として、実施形態１における処理について示す。
図６のステップS1において、印刷画像取得部１６が、画像入力部１３を利用して、印刷画像を取得し、記憶部５０に記憶させる。
【０１０４】
ステップS2において、貼付対象物画像取得部１７が、画像入力部１３を利用して、貼付対象物の表面の画像を取得し、対象物画像５２として、記憶部５０に記憶させる。
【０１０５】
ステップS3において、輪郭検出部１８が、対象物画像５２から、貼付対象物の表面の外側の輪郭を検出する。
輪郭を検出する方法としては、既存の技術を利用すればよい。
【０１０６】
ステップS4において、輪郭検出部１８が、対象物画像５２から、対象物画像の内部にある平坦領域の輪郭を検出する。平坦領域の輪郭は、カメラや操作ボタンが存在する領域の輪郭である。
平坦領域の輪郭を検出する方法としては、既存の技術を利用すればよい。
【０１０７】
ステップS5において、輪郭線生成部１９が、ステップS3とステップS4で検出された輪郭を利用して、輪郭線を生成する。輪郭線は、対象物輪郭情報５３として、記憶部５０に記憶する。輪郭線は、上記した切取線に相当する。
【０１０８】
ステップS6において、画像合成部２１が、取得された印刷画像５１と対象物画像５２とを合成する。合成画像表示部２２が、合成された画像から、表示画面データ５４を生成し、印刷画像５１と対象物画像５２との合成画像を、表示部１４に表示させる。
印刷画像５１と対象物画像５２との合成において、対象物画像５２そのものの代わりに、対象物画像５２から生成した輪郭線（切取線）を、印刷画像５１に合成してもよい。
【０１０９】
ステップS7において、ユーザによる操作部１２を用いた入力操作に基づいて、画像編集部２０が、合成画像を編集し、編集印刷画像データ５５を生成する。
【０１１０】
ステップS8において、合成画像の編集が終了した後、ユーザによる印刷指示を意味する入力操作がされた場合に、出力部１５が、編集後の合成画像に相当する編集印刷画像データ５５を、所定の用紙に印刷し、印刷用紙を出力する。
以上により、ユーザは、印刷画像５１と対象物画像５２との合成画像を表示部に表示させて、貼付対象物の表面を考慮しながら、印刷画像５１の編集および調整作業ができるので、ユーザが行う編集調整作業の容易化と時間短縮ができ、ユーザの作業負担を軽減できる。
【符号の説明】
【０１１１】
１  画像処理装置（ＭＦＰ）、
１１  制御部、
１２  操作部、
１３  画像入力部、
１４  表示部、
１５  出力部、
１６  印刷画像取得部、
１７  貼付対象物画像取得部、
１８  輪郭検出部、
１９  輪郭線生成部、
２０  画像編集部、
２１  画像合成部、
２２  合成画像表示部、
５０  記憶部、
５１  印刷画像、
５２  対象物画像、
５３  対象物輪郭情報、
５４  表示画像データ、
５５  編集印刷画像データ、
５６  定型パターン画像データ、
６１  切取線、
６２  印刷除外領域、
６３  トリミング画像データ、
６４  輪郭着色領域、
６５  切り取ったトリミング画像、
７１  貼付対象物、
７２  定型パターン、
７３  読取画像、
８０  印刷用紙、
８１  印刷用紙（透明シート）、
８２  定型パターン記載用紙
【図１】
2019149618.tif 000003
【図２】
2019149618.tif 000004
【図３】
2019149618.tif 000005
【図４】
2019149618.tif 000006
【図５】
2019149618.tif 000007
【図６】
2019149618.tif 000008
【図７】
2019149618.tif 000009
【図８】
2019149618.tif 000010